(57)【要約】【課題】ファインダ部を大型化することなく、必要な情報を明瞭に視認可能にするファインダ内表示装置を提供することである。【解決手段】このファインダ内表示装置は、フォーカシングスクリーン３５上の視野範囲４０ａに、ＡＦ測距点表示用のエレクトレットシャッタ４１と、方眼表示用のエレクトレットシャッタ４２が配設されている。また、エレクトレットシャッタ４２に近接して、視野外で撮影情報表示用のエレクトレットシャッタ４３及び４４が配設されている。そして、エレクトレットシャッタ４１では、ＡＦ測距点表示用フィルム５４ａ、５４ｂによりＡＦ測距点が移動可能に表示され、エレクトレットシャッタ４２では、方眼表示用フィルム５３の表示が進退可能に表示が切り替えられる。【選択図】      図７
2005345814.tif 000002
【特許請求の範囲】
【請求項１】
フィルム状の指標部材がファインダの観察光路に進退可能に構成すると共に、上記指標部材を、静電力を利用して駆動するようにしたことを特徴とするファインダ内表示装置。
【請求項２】
上記フィルム状の指標部材は、上記ファインダの視野内に進退可能に構成されることを特徴とする請求項１に記載のファインダ内表示装置。
【請求項３】
上記フィルム状の指標部材には、撮影構図補助線が設けられていることを特徴とする請求項２に記載のファインダ内表示装置。
【請求項４】
上記指標部材は、測距装置の測距ポイントを示すものであることを特徴とする請求項２に記載のファインダ内表示装置。
【請求項５】
上記フィルム状の指標部材に対向する位置に複数の電極が設けられた固定基板を配置し、上記複数の電極に多相周波電圧を印加した際に上記フィルム状の指標部材との間に発生する静電カを利用して、上記フィルム状の指標部材を駆動するようにしたことを特徴とする請求項２に記載のファインダ内表示装置。
【請求項６】
上記複数の電極は、少なくとも上記ファインダの視野内は透明電極で構成されることを特徴とする請求項５に記載のファインダ内表示装置。
【請求項７】
上記フイルム状の指標部材は、フォーカシングスクリーンの結像面よりも接眼レンズ側に配置されていることを特徴とする請求項２に記載のファインダ内表示装置。
【請求項８】
フィルム状の複数の指標部材がファインダ視野内の観察光路に進退可能に構成すると共に、上記指標部材を、静電力を利用して駆動するようにしたことを特徴とするファインダ内表示装置。
【請求項９】
上記フィルム状の指標部材は、上記ファインダの視野内に進退可能に構成されることを特徴とする請求項８に記載のファインダ内表示装置。
【請求項１０】
上記フィルム状の指標部材には、撮影構図補助線が設けられていることを特徴とする請求項８に記載のファインダ内表示装置。
【請求項１１】
少なくともファインダの観察光路上に配置されたもので、所定間隔で配置された帯状の駆動用電極が設けられた電極部を有する固定子と、
上記固定子の上記電極部に対向した部位に複数のエレクトレット化部位を有し、上記駆動用電極に電圧を印加した際に生じる静電力を受けて、上記ファィンダの観察光路を開放する位置と遮蔽する位置とに移動可能であって、指標を有した移動部材と、
を具備することを特徴とするファインダ内表示装置。
【請求項１２】
上記移動部材は、上記ファインダの視野内に進退可能に構成されることを特徴とする請求項１１に記載のファインダ内表示装置。
【請求項１３】
上記移動部材には、上記指標として撮影構図補助線が設けられていることを特徴とする請求項１２に記載のファインダ内表示装置。
【請求項１４】
上記移動部材は、測距装置の測距ポイントを示すものであることを特徴とする請求項１２に記載のファインダ内表示装置。
【請求項１５】
上記駆動用電極は、少なくとも上記ファインダの視野内は透明電極で構成されることを特徴とする請求項１１に記載のファインダ内表示装置。
【請求項１６】
上記移動部材は、フォーカシングスクリーンの結像面よりも接眼レンズ側に配置されていることを特徴とする請求項１２に記載のファインダ内表示装置。
【請求項１７】
上記移動部材は透明部材で構成されることを特徴とする請求項１１に記載のファインダ内表示装置。
【請求項１８】
少なくともファインダの観察光路上に配置されたもので、所定間隔で配置された帯状の第１の駆動用電極が設けられた電極部を有する第１の固定子と、
上記固定子の上記電極部に対向した部位に複数のエレクトレット化部位を有し、上記第１の駆動用電極に電圧を印加した際に生じる静電力を受けて、上記ファインダの観察光路を開放する位置と遮蔽する位置とに移動可能な第１の移動部材と、
上記ファインダの観察光路上で上記第１の固定子と重畳されて配置されたもので、所定間隔で配置された第２の駆動用電極が設けられた電極部を有する第２の固定子と、
上記第２の固定子の上記電極部に対向した部位に複数のエレクトレット化部位を有し、上記第２の駆動用電極に電圧を印加した際に生じる静電力を受けて、上記ファインダの視野範囲内を移動可能な第２の移動部材と、
を具備することを特徴とするファインダ内表示装置。
【請求項１９】
上記第１の移動部材は、上記ファインダの視野内に進退可能に構成されることを特徴とする請求項１８に記載のファインダ内表示装置。
【請求項２０】
上記第１及び第２の移動部材の一方は指標として撮影構図補助線が設けられ、他方は測距装置の測距ポイントを示すものであることを特徴とする請求項１９に記載のファインダ内表示装置。
【請求項２１】
上記第１及び第２の駆動用電極は、少なくとも上記ファインダの視野内は透明電極で構成されることを特徴とする請求項１８に記載のファインダ内表示装置。
【請求項２２】
上記第１及び第２の移動部材は、フォーカシングスクリーンの結像面よりも接眼レンズ側に配置されていることを特徴とする請求項１９に記載のファインダ内表示装置。
【請求項２３】
上記第１及び第２の移動部材は透明部材で構成されることを特徴とする請求項１８に記載のファインダ内表示装置。
【発明の詳細な説明】
【技術分野】
【０００１】
本発明は、ファインダ内表示装置に関し、より詳細には、カメラのファインダ内に撮影補助用の各種情報を表示可能なファインダ内表示装置に関するものである。
【背景技術】
【０００２】
カメラのファインダの中には、被写体像だけでなく、撮影の補助になる各種情報を重畳表示可能なものも多い。これらの情報とは、例えば、撮影画面内のどのポイントを測距するかを示す測距点や、撮影構図決定用の補助線等である。
【０００３】
上述した測距点を示すものとしては、例えば、フォーカシングスクリーン上の測距位置に、反射面によって構成される表示部を設け、これをペンタダハプリズムの上前部に配置した投光レンズと光源によって照明し、表示部での反射光がペンタダハプリズムと接眼レンズを通して確認されるようにした技術が知られている（例えば、特許文献１参照）。
【０００４】
一方、エレクトロクロミック素子を用いてフォーカシングスクリーン上に構図補助線を表示可能にした一眼レフカメラが知られている（例えば、特許文献２参照）。
【特許文献１】特開平４−２７８９３１号公報
【特許文献２】特開平５−２１６１０９号公報
【発明の開示】
【発明が解決しようとする課題】
【０００５】
ところで、上記特許文献１のような測距点を光源で照明する機構は、測距点が撮影画面内に離散的に配置されているカメラには適用できるが、撮影画面内の任意の位置で測距可能なカメラには適用することはできない。また、光源や投光レンズを設けることはカメラの大型化を招くことになり、好ましいものではない。
【０００６】
また、上記特許文献２に記載のエレクトロクロミック素子は、常にファインダ内に配置されており、透過率の低いエレクトロクロミック素子の場合には、ファインダヘの光量の低下を招いてしまうという課題を有している。
【０００７】
本発明は上記課題に鑑みてなされたものであり、ファインダ部を大型化することなく、必要な情報を明瞭に視認可能にするファインダ内表示装置を提供することを目的とする。
【課題を解決するための手段】
【０００８】
すなわち、請求項１に記載の発明は、フィルム状の指標部材がファインダの観察光路に進退可能に構成すると共に、上記指標部材を、静電力を利用して駆動するようにしたことを特徴とする。
【０００９】
請求項２に記載の発明は、請求項１に記載の発明に於いて、上記フィルム状の指標部材は、上記ファインダの視野内に進退可能に構成されることを特徴とする。
【００１０】
請求項３に記載の発明は、請求項２に記載の発明に於いて、上記フィルム状の指標部材には、撮影構図補助線が設けられていることを特徴とする。
【００１１】
請求項４に記載の発明は、請求項２に記載の発明に於いて、上記指標部材は、測距装置の測距ポイントを示すものであることを特徴とする。
【００１２】
請求項５に記載の発明は、請求項２に記載の発明に於いて、上記フィルム状の指標部材に対向する位置に複数の電極が設けられた固定基板を配置し、上記複数の電極に多相周波電圧を印加した際に上記フィルム状の指標部材との間に発生する静電カを利用して、上記フィルム状の指標部材を駆動するようにしたことを特徴とする。
【００１３】
請求項６に記載の発明は、請求項５に記載の発明に於いて、上記複数の電極は、少なくとも上記ファインダの視野内は透明電極で構成されることを特徴とする。
【００１４】
請求項７に記載の発明は、請求項２に記載の発明に於いて、上記フイルム状の指標部材は、フォーカシングスクリーンの結像面よりも接眼レンズ側に配置されていることを特徴とする。
【００１５】
請求項８に記載の発明は、フィルム状の複数の指標部材がファインダ視野内の観察光路に進退可能に構成すると共に、上記指標部材を、静電力を利用して駆動するようにしたことを特徴とする。
【００１６】
請求項９に記載の発明は、請求項８に記載の発明に於いて、上記フィルム状の指標部材は、上記ファインダの視野内に進退可能に構成されることを特徴とする。
【００１７】
請求項１０に記載の発明は、請求項８に記載の発明に於いて、上記フィルム状の指標部材には、撮影構図補助線が設けられていることを特徴とする。
【００１８】
請求項１１に記載の発明は、少なくともファインダの観察光路上に配置されたもので、所定間隔で配置された帯状の駆動用電極が設けられた電極部を有する固定子と、上記固定子の上記電極部に対向した部位に複数のエレクトレット化部位を有し、上記駆動用電極に電圧を印加した際に生じる静電力を受けて、上記ファィンダの観察光路を開放する位置と遮蔽する位置とに移動可能であって、指標を有した移動部材と、を具備することを特徴とする。
【００１９】
請求項１２に記載の発明は、請求項１１に記載の発明に於いて、上記移動部材は、上記ファインダの視野内に進退可能に構成されることを特徴とする。
【００２０】
請求項１３に記載の発明は、請求項１２に記載の発明に於いて、上記移動部材には、上記指標として撮影構図補助線が設けられていることを特徴とする。
【００２１】
請求項１４に記載の発明は、請求項１２に記載の発明に於いて、上記移動部材は、測距装置の測距ポイントを示すものであることを特徴とする。
【００２２】
請求項１５に記載の発明は、請求項１１に記載の発明に於いて、上記駆動用電極は、少なくとも上記ファインダの視野内は透明電極で構成されることを特徴とする。
【００２３】
請求項１６に記載の発明は、請求項１２に記載の発明に於いて、上記移動部材は、フォーカシングスクリーンの結像面よりも接眼レンズ側に配置されていることを特徴とする。
【００２４】
請求項１７に記載の発明は、請求項１１に記載の発明に於いて、上記移動部材は透明部材で構成されることを特徴とする。
【００２５】
請求項１８に記載の発明は、少なくともファインダの観察光路上に配置されたもので、所定間隔で配置された帯状の第１の駆動用電極が設けられた電極部を有する第１の固定子と、上記固定子の上記電極部に対向した部位に複数のエレクトレット化部位を有し、上記第１の駆動用電極に電圧を印加した際に生じる静電力を受けて、上記ファインダの観察光路を開放する位置と遮蔽する位置とに移動可能な第１の移動部材と、上記ファインダの観察光路上で上記第１の固定子と重畳されて配置されたもので、所定間隔で配置された第２の駆動用電極が設けられた電極部を有する第２の固定子と、上記第２の固定子の上記電極部に対向した部位に複数のエレクトレット化部位を有し、上記第２の駆動用電極に電圧を印加した際に生じる静電力を受けて、上記ファインダの視野範囲内を移動可能な第２の移動部材と、を具備することを特徴とする。
【００２６】
請求項１９に記載の発明は、請求項１８に記載の発明に於いて、上記第１の移動部材は、上記ファインダの視野内に進退可能に構成されることを特徴とする。
【００２７】
請求項２０に記載の発明は、請求項１９に記載の発明に於いて、上記第１及び第２の移動部材の一方は指標として撮影構図補助線が設けられ、他方は測距装置の測距ポイントを示すものであることを特徴とする。
【００２８】
請求項２１に記載の発明は、請求項１８に記載の発明に於いて、上記第１及び第２の駆動用電極は、少なくとも上記ファインダの視野内は透明電極で構成されることを特徴とする。
【００２９】
請求項２２に記載の発明は、請求項１９に記載の発明に於いて、上記第１及び第２の移動部材は、フォーカシングスクリーンの結像面よりも接眼レンズ側に配置されていることを特徴とする。
【００３０】
請求項２３に記載の発明は、請求項１８に記載の発明に於いて、上記第１及び第２の移動部材は透明部材で構成されることを特徴とする。
【発明の効果】
【００３１】
本発明によれば、ファインダ部を大型化することなく、必要な情報を明瞭に視認可能にするファインダ内表示装置を提供することができる。
【発明を実施するための最良の形態】
【００３２】
以下、図面を参照して、本発明の実施形態を説明する。
【００３３】
はじめに、本発明に係る静電シャッタ装置の駆動原理について、図１及び図２を参照して説明する。
【００３４】
本シャッタ装置は、基本的に固定子１と移動子２とを備えており、移動子２は固定子１に対して図１（ａ）及び（ｂ）に於いて左右方向に移動自在に構成されている。そして、固定子１には、被写体からの光像を撮像素子（図示せず）に導くための開口部３が設けられている。更に、この固定子１には、上記移動子２の移動方向と直交する方向に、帯状の複数の延出された駆動電極４が所定の間隔で並設されている。
【００３５】
上記移動子２は、後述する永久分極された、延出された誘導体（以下、エレクトレットと称する）５の部位を複数備えている。
【００３６】
このような構成に於いて、駆動電極４に周波電圧を印加すると、駆動電極４と上述したエレクトレットとの間に吸引力若しくは反発力が発生し、結果的に移動子２が固定子１に対して相対移動する。したがって、移動子２が固定子１の開口部３を、開放若しくは遮蔽するように移動可能にしておけば、これによってシャッタ装置を構成することができる。
【００３７】
図１（ａ）はシャッタが開の状態を示し、図１（ｂ）はシャッタが閉の状態を示している。尚、固定子１に開口部３は必ずしも必要なものではなく、固定子１を透過部材として、図１（ａ）に示されるように、駆動電極４が設けられていない領域、すなわち、透過領域を形成しても良い。以下、被写体光束が通過するこのような領域を便宜的に開口部と称する。また、本構成に係るシャッタ装置を、エレクトレットシャッタと称するものとする。
【００３８】
図２は、こうしたエレクトレットシャッタの断面を模式的に示すと共に該エレクトレットシャッタの駆動回路を示した図である。
【００３９】
エレクトレットシャッタ７に於いて、固定子１に並設されたそれぞれの駆動電極４には、駆動回路１０からの電圧信号線が接続されている。これらの電圧信号線には、４相の電圧信号が印加されるようになっており、従って、駆動電極４には、４本毎に同一の電圧信号が印加される。図２では、駆動電極４にＡ、Ｂ、Ｃ、Ｄの符号を付してこの電圧信号を区別している。
【００４０】
移動子２には、固定子１との対向面に永久分極された誘導体（エレクトレット）５を複数備えている。
【００４１】
尚、この図は、あくまでも模式図であり、実際のエレクトレットシャッタに於ける電極やエレクトレット部位の数や配置間隔は、シャッタの大きさ、開口部の面積、エレクトレット部位の極性、その配置形態、シャッタ装置として要求される駆動分解能、シャッタ最高速度等の様々な要因によって適宜決定されるものである。また、このエレクトレットシャッタの場合、正負の極性を有するエレクトレット化部位が交互に配置されたタイプであるが、何れか一方の極性だけでも実現可能である。
【００４２】
図２の左側には、上述したエレクトレットシャッタ７の構成と共に、エレクトレットシャッタ７に印加する電圧信号を発生するための駆動回路１０の構成が示されている。
【００４３】
パルス発生回路１２で生成した矩形波列（駆動パルス信号）は、位相器１３及び昇圧回路１４に供給される。昇圧回路１４では、入力された矩形波列が１００Ｖ程度まで昇圧されると共に、２つの極性を有する電圧信号に分岐されて、駆動電極４Ａ及び４Ｃに供給される。一方、位相器１３に入力された矩形波列は、９０°位相が遅れた波形となり、その後、昇圧回路１４に入力されて、上述と同様の２つの矩形波列となり、駆動電極４Ｂ及び４Ｄに供給される。
【００４４】
図３は、上記駆動回路１０によって作成されて、駆動電極４Ａ〜４Ｄに印加される電圧信号列の例を示したタイミングチャートである。このうち、図３（ａ）は駆動電極４Ａ、図３（ｂ）は駆動電極４Ｂ、図３（ｃ）は駆動電極４Ｃ、図３（ｄ）は駆動電極４Ｄのタイミングチャートである。
【００４５】
尚、駆動電極４Ａ〜４Ｄの電圧の状態は、時間ｔ１〜ｔ４の４つの状態が、時間経過に対応して繰り返して変化するものである。
【００４６】
図４（ａ）〜（ｄ）は、上述したエレクトレットシャッタ７の動作を説明する図である。尚、図４（ａ）〜（ｄ）に於いて、同図右側方向をエレクトレットの進行方向として、後方側（左側）に正極（プラス）のエレクトレット５ａ、前方側（右側）に負極（マイナス）のエレクトレット５ｂが配列されているものとする。
【００４７】
図４（ａ）は、図３に示される時間ｔ１に切り替わった直後のエレクトレットと駆動電極４の電圧の状態（極性）を示している。
【００４８】
この状態に於いて、正極のエレクトレット５ａは、駆動電極Ａ（正極）から反発力を受け、駆動電極Ｂ（負極）から吸引力を受ける。また、負極のエレクトレット５ｂは、駆動電極Ｃ（負極）から反発力を受け、駆動電極Ｄ（正極）から吸引力を受ける。このため、移動子２は、図４（ａ）の右方向に力を受けて、１つの駆動電極ピッチｄ分右方向に移動する。
【００４９】
図４（ｂ）は、時間ｔ２に切り替わった直後のエレクトレットと駆動電極の電圧の状態を示している。
【００５０】
この状態に於いて、エレクトレット５ａは、駆動電極Ｂ（正極）から反発力を受け、駆動電極Ｃ（負極）から吸引力を受ける。また、エレクトレット５ｂは、駆動電極Ｄ（負極）から反発力を受け、駆動電極Ａ（正極）から吸引力を受ける。このため、移動子２は、図４（ｂ）の右方向に力を受けて、１つの駆動電極ピッチｄ分移動する。
【００５１】
同様に、図４（ｃ）は、時間ｔ３に切り替わった直後のエレクトレットと駆動電極の電圧の状態を示している。
【００５２】
この状態に於いて、エレクトレット５ａは、駆動電極Ｃ（正極）から反発力を受け、駆動電極Ｄ（負極）から吸引力を受ける。また、エレクトレット５ｂは、駆動電極Ａ（負極）から反発力を受け、駆動電極Ｂ（正極）から吸引力を受ける。このため、移動子２は、図４（ｃ）の右方向に力を受けて、１つの駆動電極ピッチｄ分移動する。
【００５３】
更に、図４（ｄ）は、時間ｔ４に切り替わった直後のエレクトレットと駆動電極の電圧の状態を示している。
【００５４】
この状態に於いて、エレクトレット５ａは、駆動電極Ｄ（正極）から反発力を受け、駆動電極Ａ（負極）から吸引力を受ける。また、エレクトレット５ｂは、駆動電極Ａ（負極）から反発力を受け、駆動電極Ｃ（正極）から吸引力を受ける。このため、移動子２は、図４（ｄ）の右方向に力を受けて、１つの駆動電極ピッチｄ分移動する。
【００５５】
上述したように、移動子２は１つの駆動電極ピッチｄ移動し、この動作が繰り返されることで、移動子２は図４（ａ）→（ｂ）→（ｃ）→（ｄ）のように右方向（図示矢印Ｆ方向）に移動する。尚、移動子２を図の左方向に移動するためには、駆動電極４に印加する電圧の極性を逆に切り替えれば良い。
【００５６】
次に、本発明の一実施形態について説明する。
【００５７】
図５は、本発明に係る一実施形態のファインダ内表示装置が適用されデジタル一眼レフカメラの概略配置構成を示した図である。
【００５８】
図５に於いて、このデジタル一眼レフカメラは、カメラ本体２０と、このカメラ本体２０の前面部にボディマウント２１及びレンズマウント２３を介して装着された、例えばアクセサリ装置として交換可能な撮影レンズ２５を有して構成されている。
【００５９】
カメラ本体２０は、後述するクイックリターンミラー３３、フォーカシングスクリーン３５及び視野ユニット４０を有するミラーボックス３０と、ファインダユニット３１と、ＣＣＤユニット４８とを内部に有して構成される。
【００６０】
上記クイックリターンミラー３３は、撮影レンズ２５内の図示されないレンズ群の光軸上に配置されるもので、図示されない被写体からの光束を、ファインダユニット３１とＣＣＤユニット４８へ切り替えるためのものである。このクイックリターンミラー３３で反射された入射光束は、フォーカシングスクリーン３５及び視野ユニット４０に至る。更に、この視野ユニット４０を通過した入射光束は、ペンタプリズム４５を介してルーペレンズ４６に至る。
【００６１】
クイックリターンミラー３３の後方（図５に於いて右側）には、ミラーボックス３０に取り付けられたシャッタユニット４７を介して、撮像素子であるＣＣＤを有するＣＣＤユニット４８が配置されている。クイックリターンミラー３３が、図示されない退避位置に移動すると、撮影レンズ２５を通過した入射光束がＣＣＤ４９に導かれる。
【００６２】
すなわち、図示されない被写体からの入射光束が、撮影レンズ２５を介して入射されるとする。被写体観察時は、撮影レンズ２５を介して入射された光束は、クイックリターンミラー３３で反射されて、フォーカシングスクリーン３５に結像される。更に、視野ユニット４０、ペンタプリズム４５を介してルーペレンズ４６を通して、撮影者により正立正像が観察される。
【００６３】
そして、撮像動作時は、図示されない退避位置にクイックリターンミラー３３が移動して、撮影レンズ２５を通過した入射光束が、シャッタユニット４７を介してＣＣＤ４９にて結像される。
【００６４】
次に、図６乃至図９を参照して、本実施形態に於けるファインダ内表示装置の構成について説明する。
【００６５】
図６は、本実施の形態に於けるカメラ本体２０を構成する各部の組立図である。
【００６６】
ミラーボックス３０上の開口部に、フォーカシングスクリーン３５が配置される。そして、このフォーカシングスクリーン３５上に、詳細を後述するエレクトレットシャッタ４１及び４２が配置される。また、エレクトレットシャッタ４２に近接して、エレクトレットシャッタ４３及び４４が、所定位置に配置される。更に、このエレクトレットシャッタ４２上には、視野枠５１を介してファインダユニット３１が取付けられる。
【００６７】
また、ミラーボックス３０の後方（図６に於いて右側）にはシャッタユニット４７が取り付けられる。そして、このシャッタユニット４７の後方に、ＣＣＤ４９が取り付けられたＣＣＤユニット４８が配置される。
【００６８】
図７は、本実施形態のファィンダ内表示装置の構成を示したもので、（ａ）は視野ユニット４０の平面図、（ｂ）は（ａ）からエレクトレットシャッタ４３を除いて該エレクトレットシャッタ４３の方向から見た側面図である。
【００６９】
視野ユニット４０内のフォーカシングスクリーン３５上、すなわち視野範囲４０ａ内には、ＡＦ測距点表示用のエレクトレットシャッタ４１と、方眼表示用のエレクトレットシャッタ４２が配設されている。また、図７（ａ）に於いて、エレクトレットシャッタ４２の下側及び右側には、視野外でシャッタスピード、絞り、撮影モード等、撮影情報表示用のエレクトレットシャッタ４３及び４４が配設されている。
【００７０】
上記エレクトレットシャッタ４１及びエレクトレットシャッタ４２は、図９の組立図に示されるように構成される。
【００７１】
尚、ここでいう視野範囲は、ＣＣＤ４９で撮影される被写体像を観察するための範囲である。
【００７２】
フォーカシングスクリーン３５上に配置されるＡＦ測距点用固定子６６上には、該ＡＦ測距点用固定子６６の長手方向と直交する方向に延出された、移動子としてのＡＦ測距点表示用フィルム５４ｂを挟持して、ＡＦ測距点用固定子６５が設けられている。同様に、ＡＦ測距点用固定子６５上には、該ＡＦ測距点用固定子６５の長手方向と同一方向に延出された、移動子としてのＡＦ測距点表示用フィルム５４ａを挟持して、方眼表示用固定子６４が設けられている。
【００７３】
更に、この方眼表示用固定子６４上には、移動子としての方眼表示用フィルム５３を挟持して、保護ガラス６３が設けられている。そして、この保護ガラス６３上には、視野枠５１が設けられている。
【００７４】
上記ＡＦ測距点用固定子６６の、ＡＦ測距点表示用フィルム５４ｂと対向する面には、図示されないが、その長手方向と直交する方向に帯状に延出された複数個の駆動電極が、所定間隔で配置されている。同様に、ＡＦ測距点用固定子６５のＡＦ測距点表示用フィルム５４ａと対向する面には、図示されないが、その長手方向に帯状に延出された複数個の駆動電極が、所定間隔で配置されている。更に、方眼表示用固定子６４の方眼表示用フィルム５３と対向する面には、図示されないが、その長手方向と直交する方向に帯状に延出された複数個の駆動電極が、所定間隔で配置されている。
【００７５】
尚、上述した駆動電極上には、絶縁膜（図示せず）が設けられている。この絶縁膜が施されることにより、隣接する駆動電極間の短絡を防止している。
【００７６】
一方、上記ＡＦ測距点表示用フィルム５４ｂのＡＦ測距点用固定子６６と対向する面側には、図示されないが、コロナ放電法により複数のエレクトレットが形成されている（これをエレクトレット化するという）。本実施形態に於いては、正負の極性を有するエレクトレット部位が交互に配置されている（例えば、図４のエレクトレット５ａ、５ｂ参照）。
【００７７】
同様に、ＡＦ測距点表示用フィルム５４ａのＡＦ測距点用固定子６５と対向する面側と、方眼表示用フィルム５３の方眼表示用固定子６４と対向する面側にも、それぞれ図示されないが、コロナ放電法により複数のエレクトレット部位が交互に配置されている。
【００７８】
これにより、方眼表示用フィルム５３は、その長手方向に沿って、方眼表示用固定子６４上を移動する。また、ＡＦ測距点表示用フィルム５４ａは、その長手方向と直交する方向に沿って、ＡＦ測距点用固定子６５上を移動する。更に、ＡＦ測距点表示用フィルム５４ｂは、その長手方向と直交する方向に沿って、ＡＦ測距点用固定子６６上を移動する。
【００７９】
尚、方眼表示用フィルム５３は透明部材で構成されており、撮影構図の補助線として方眼表示部が印刷されている。そして、ＡＦ測距点表示用フィルム５４ａ、５４ｂは、中央部が透明部材であり、外周部が印刷等により不透明に構成されている。
【００８０】
また、エレクトレットシャッタ４３及び４４の構成については詳述しないが、上記エレクトレットシャッタ４１及び４２と同様の構成である。すなわち、エレクトレットシャッタ４３は、移動子として視野外表示用フィルム５５を有するもので、表示用ＬＣＤ５７の表示を遮蔽自在とするものである。同様に、エレクトレットシャッタ４４は、移動子として視野外表示用フィルム５６を有するもので、表示用ＬＣＤ５８の表示を遮蔽自在とするものである。尚、６０は表示用ＬＣＤ５８の表示用のＬＥＤバックライトであり、図示されないが、同様のバックライトが表示用ＬＥＤ５７の下部に設けられている。
【００８１】
図８は、図７に示された各シャッタユニットの移動子としてのフィルムが移動した状態のファィンダ内表示装置を示した図である。
【００８２】
図８に於いて、方眼表示用フィルム５３が視野範囲４０ａ上に移動されると共に、ＡＦ測距点表示用フィルム５４ａ及び５４ｂが、それぞれ視野範囲４０ａ内に移動される。ＡＦ測距点表示用フィルム５４ａとＡＦ測距点表示用フィルム４５ｂの交差した部分が、ＡＦ測距点を表している。尚、ＡＦ測距点表示用フィルム５４ａとＡＦ測距点表示用フィルム４５ｂは、例えば電源投入時等の初期状態には、図７に示されるように、視野範囲４０ａより外側に位置されている。
【００８３】
また、エレクトレットシャッタ４３に於いては、視野外表示用フィルム５５が移動して表示用ＬＣＤ５７の表示が遮蔽される。一方で、エレクトレットシャッタ４４に於いては、視野外表示用フィルム５６が移動して、表示用ＬＣＤ５８が視野枠５１内に現れる。
【００８４】
次に、このように構成されたファインダ内表示装置の表示例について、図１０を参照して説明する。
【００８５】
上述したファインダ内表示装置は、エレクトレットシャッタ４１〜４４の任意の組合わせにより、例えば図１０（ａ）〜（ｅ）に示されるような表示が可能である。
【００８６】
ＡＦ測距点は、図１０（ａ）に示されるように、ＡＦ測距点表示用フィルム５４ａ、５４ｂから構成されているもので、それぞれが視野範囲４０ａ内で横線、縦線を受け持っている。ＡＦ測距点は、図示されないカメラの操作部材によって、視野範囲４０ａ内の上下左右を自由に移動するように操作可能である。
【００８７】
この操作に応じて、図１０（ｄ）に示されるように、ＡＦ測距点表示用フィルム５４ａ、５４ｂが独立に上下方向と左右方向に制御されて移動する。その結果、視野範囲４０ａ内では、ＡＦ測距点表示用フィルム５４ａ、５４ｂの交差した部分がＡＦ測距点（測距ポイント）として表示されることになる。また、図１０（ａ）、（ｄ）に示される状態では、方眼表示用フィルム５３は、視野範囲４０ａ内には移動されていない。
【００８８】
また、図１０（ａ）〜（ｄ）に於いては、表示用ＬＣＤ５７が視野枠５１内に表示され、表示用ＬＣＤ５８は表示されていない。つまり、表示用ＬＣＤ５７は視野外表示用フィルム５５の移動により露出され、表示用ＬＣＤ５８は視野外表示用フィルム５６の移動により遮蔽されている。尚、表示用ＬＣＤ５７は、シャッタスピード（１０００）、絞り（Ｆ２．８）がマニュアル（Ｍ）操作により設定されることを表している。
【００８９】
図１０（ａ）に示される表示から、図示されないカメラの操作部材によりＡＦ表示切り替えが行われたとする。図１０（ｂ）は、ＡＦを使用せず、ピント合わせをマニュアルモードで行う場合の表示例である。この場合、ＡＦを使用しないため、ＡＦ測距点を表すＡＦ測距点表示用フィルム５４ａ、５４ｂは視野範囲４０ａ内から除外される。
【００９０】
更に、図１０（ｂ）に示される表示から、図示されないカメラの操作部材により視野外表示切り替えが行われると、図１０（ｄ）に示されるような表示になる。これは、例えば、絞り優先であること（Ａｖ）とその時のシャッタスピード（１０００）が表示用ＬＣＤ５８に表示される。このとき、表示用ＬＣＤ５７は視野外表示用フィルム５５の移動により遮蔽され、表示用ＬＣＤ５８は視野外表示用フィルム５６の移動により露出される。
【００９１】
また、図１０（ｂ）に示される表示から、図示されないカメラの操作部材により方眼表示切り替えが行われると、図１０（ｃ）に示されるような表示になる。これは、方眼表示用フィルム５３が視野範囲４０ａ内に移動されたことによりマニュアル測距を補助する方眼表示がなされている状態である。
【００９２】
このように、方眼表示、視野外表示の切り替えは、図示されないカメラの撮影モードの選択操作及び方眼表示の有無の選択に応じて、各フィルムが制御されて移動されることにより行われる。しかも、それぞれのエレクトレットシャッタは、全て独立して構成されているので、これらは上述した例以外にも自由に組み合わせた表示が可能である。
【００９３】
尚、上述した実施形態では、ＡＦ測距点用フィルム５４ａ、５４ｂ以外に視野範囲４０ａ内に移動可能なフィルムは方眼表示用フィルム５３の１つのみとして説明したが、これに限られるものではない。例えば、複数のエレクトレットシャッタを重ねて構成して、複数種類の表示を視野範囲４０に表すようにしてもよい。
【００９４】
また、視野外の表示用ＬＣＤ５７、５８の表示切り替えも、上述した実施形態に限られるものではなく、種々の変形や追加が可能である。
【００９５】
以上、本発明の実施形態について説明したが、本発明は上述した実施形態以外にも、本発明の要旨を逸脱しない範囲で種々の変形実施が可能である。
【図面の簡単な説明】
【００９６】
【図１】本発明に係る静電シャッタ装置の駆動原理について説明する図である。
【図２】エレクトレットシャッタの断面を模式的に示すと共に該エレクトレットシャッタの駆動回路を示した図である。
【図３】図２の駆動回路１０によって作成されて、駆動電極４Ａ〜４Ｄに印加される電圧信号列の例を示したもので、（ａ）は駆動電極４Ａ、（ｂ）は駆動電極４Ｂ、（ｃ）は駆動電極４Ｃ、（ｄ）は駆動電極４Ｄのタイミングチャートである。
【図４】図２に示されるエレクトレットシャッタ７の動作を説明する図である。
【図５】本発明に係る一実施形態のファインダ内表示装置が適用されデジタル一眼レフカメラの概略配置構成を示した図である。
【図６】本実施の形態に於けるカメラ本体２０を構成する各部の組立図である。
【図７】本実施形態のファィンダ内表示装置の構成を示したもので、（ａ）は視野ユニット４０の平面図、（ｂ）は（ａ）からエレクトレットシャッタ４３を除いて該エレクトレットシャッタ４３の方向から見た側面図である。
【図８】図７に示された各シャッタユニットの移動子としてのフィルムが移動した状態のファィンダ内表示装置を示した図である。
【図９】エレクトレットシャッタ４１及びエレクトレットシャッタ４２の構成を示す組立図である。
【図１０】ファインダ内表示装置の表示例について説明する図である。
【符号の説明】
【００９７】
１、２９ａ、２９ｂ…固定子、２…移動子、３、２７ａ、２７ｂ、３１…開口部、４、４Ａ〜４Ｄ、２８ａ、２８ｂ…駆動電極、５、５ａ、５ｂ、２６ａ、２６ｂ…永久分極された誘導体（エレクトレット）、７…エレクトレットシャッタ、１０…駆動回路、１２…パルス発生回路、１３…位相器、１４…昇圧回路、２０…カメラ本体、２５…撮影レンズ、３０…ミラーボックス、３１…ファィンダユニット、３３…クイックリターンミラー、３５…フォーカシングスクリーン、４０…視野ユニット、４０ａ…視野範囲、４１、４２、４３、４４…エレクトレットシャッタ、４８…ＣＣＤユニット、５１…視野枠、５３…方眼表示用フィルム、５４ａ、５４ｂ…ＡＦ測距点表示用フィルム、５５、５６…視野外表示用フィルム、５７、５８…表示用ＬＣＤ、６３…保護ガラス、６４…方眼表示用固定子、６５、６６…ＡＦ測距点用固定子。
【図１】
2005345814.tif 000003
【図２】
2005345814.tif 000004
【図３】
2005345814.tif 000005
【図４】
2005345814.tif 000006
【図５】
2005345814.tif 000007
【図６】
2005345814.tif 000008
【図７】
2005345814.tif 000009
【図８】
2005345814.tif 000010
【図９】
2005345814.tif 000011
【図１０】
2005345814.tif 000012